(57)【要約】【課題】  サイクロン集塵機５を掃除機本体１に収容するタイプの電気掃除機において、排気筒１５に被覆されるフィルタ１５ａを自動清掃する。フィルタ１５ａから掻き落とされた塵埃の外部への漏洩を抑制し、衛生面を向上させる。【解決手段】  サイクロン集塵機５のサイクロン本体１１は、排気筒１５の表面に被覆されたフィルタ１５ａと摺動することによってフィルタ１５ａを清掃する清掃具１７と、サイクロン集塵機５の掃除機本体１に対する着脱動作と連動して、清掃具１７とフィルタ１５ａとを摺動させる摺動手段１８とを有している。摺動手段１８は、清掃具１７と連結棒４４を介して連結されるとともに、掃除機本体１側に設けられる位置決め部３１にて支持される支持部４１と、サイクロン集塵機５の掃除機本体１からの取り出し方向に、支持部４１を支点として固定板１４に固定される筐体４５を付勢する第２付勢手段４２とを有して構成されている。【選択図】      図１
2008080146.tif 000002
【特許請求の範囲】
【請求項１】
掃除機本体に収容される電動送風機の運転によって吸引された空気を旋回させ、上記空気中に含まれる塵埃を遠心分離するサイクロン集塵機を、上記掃除機本体に対して着脱可能に備えた電気掃除機であって、
上記サイクロン集塵機は、
遠心分離後の空気を排出するための排気口に第１のフィルタが被覆された排気筒と、
上記排気筒が固定される固定板と、
上記固定板に対して略垂直方向に立設されてその先端が上記固定板側に回動可能に支持される回動部材と、
上記排気筒から排出される空気に含まれる塵埃を除去するための第２のフィルタが装填されるとともに上記第２のフィルタの非収容時に上記回動部材の先端と当接することによって上記回動部材の回動を阻止する回動阻止部を有する蓋体と、
上記第１のフィルタと摺動することによって上記第１のフィルタを清掃する清掃具と、
上記サイクロン集塵機の上記掃除機本体に対する着脱動作と連動して上記清掃具と上記第１のフィルタとを摺動させる摺動手段と、
を備えていることを特徴とする電気掃除機。
【請求項２】
上記蓋体は、上記排気筒の軸方向に対して上記第２のフィルタにおける空気の進入面が傾斜して配置されるように、上記第２のフィルタを収容することを特徴とする請求項１に記載の電気掃除機。
【発明の詳細な説明】
【技術分野】
【０００１】
本発明は、吸引した空気を旋回させることによって、空気中に含まれる塵埃を遠心分離するサイクロン集塵機を備えた電気掃除機に関するものであり、特に、サイクロン集塵機の排気筒表面のフィルタの清掃を行う電気掃除機に関するものである。
【背景技術】
【０００２】
従来から、サイクロン集塵機を備えた電気掃除機が種々提案されている。このサイクロン集塵機は、周面に排気口が形成された排気筒を有しており、塵埃が遠心分離された後の空気を、この排気筒を介して外部に排出するようになっている。
【０００３】
このとき、サイクロン集塵機での空気の高速旋回により、空気中の塵埃はほとんど遠心分離されるが、微細な塵埃については遠心分離されず、空気とともに排気筒から排出される場合がある。そこで、排気筒の周面には、通常、排気口を覆うようにメッシュ状のフィルタが設けられており、このフィルタにて微細な塵埃を除去するようになっている。
【０００４】
ところで、このような電気掃除機を長時間使用すると、フィルタが目詰まりを起こし、吸引力および捕塵能力が低下するため、近年では、フィルタを清掃する清掃具（例えばブラシ）をサイクロン集塵機に設けてフィルタを定期的に清掃することで、上記の不都合を回避するようにした電気掃除機が提案されている（例えば、特許文献１参照）。
【０００５】
特許文献１の電気掃除機は、サイクロン本体にて遠心分離された塵埃を集積するダストカップを、サイクロン本体に対して着脱する際に、その着脱動作と連動して清掃手段（例えばブラシ）を排気筒の軸方向に移動させることで、ブラシとフィルタとを摺動させ、フィルタに付着した塵埃を掻き落とすようにしている。これにより、ダストカップの着脱時に、フィルタを自動清掃することができ、電気掃除機の利便性が向上するものとなっている。
【特許文献１】特開２００２−３１５７０１号公報（２００２年１０月２９日公開）
【発明の開示】
【発明が解決しようとする課題】
【０００６】
ところで、特許文献１の電気掃除機では、吸込口体から掃除機本体に至る吸気路（接続ホース）の途中にサイクロン集塵機が設けられている。すなわち、サイクロン集塵機は、電動送風機が収容される掃除機本体の外部に設けられている。このタイプの電気掃除機では、サイクロン集塵機が吸気路に対してむき出しとなっているので、このままの状態で、ダストカップ自体をサイクロン本体に対して自由に着脱させることができ、これによって、この着脱動作と連動してフィルタを清掃することができる。
【０００７】
しかし、サイクロン集塵機を掃除機本体に収容するタイプの電気掃除機においては、特許文献１のようなフィルタ清掃機構をそのまま適用したとしても、サイクロン集塵機を掃除機本体に収容した状態では、ダストカップのみを単独でサイクロン本体から取り外すことができない。そのため、フィルタの清掃にあたっては、一旦、サイクロン集塵機自体を掃除機本体から取り出し、その状態でダストカップをサイクロン本体から取り外すことが必要となる。
【０００８】
ところが、特許文献１のフィルタの清掃機構では、ダストカップのサイクロン本体からの取り外しと、ブラシによるフィルタの清掃とが同時に行われるので、上記フィルタ清掃機構が適用された上記タイプの電気掃除機において、掃除機本体外部でのサイクロン本体からのダストカップの取り外し時に、ブラシによってフィルタから掻き落とされた塵埃が、ダストカップに集積される前に、ダストカップとサイクロン本体との間にできる隙間から外部に漏洩する場合がある。この場合、部屋の衛生が損なわれるという問題が生ずる。
【０００９】
本発明は、上記の問題点を解決するためになされたものであり、その目的は、サイクロン集塵機を掃除機本体に収容するタイプの電気掃除機において、排気筒に被覆されるフィルタを自動清掃することができるとともに、上記フィルタから掻き落とされた塵埃の外部への漏洩を抑制し、衛生面を向上させることができる電気掃除機を提供することにある。
【課題を解決するための手段】
【００１０】
本発明によれば、サイクロン集塵機の掃除機本体に対する着脱動作と連動して、摺動手段が、清掃具（例えばブラシ）と、排気筒の排気口を覆うフィルタとを摺動させる。したがって、サイクロン集塵機の掃除機本体に対する取り付け、取り出しと同時に、フィルタが清掃具により自動清掃されるので、サイクロン集塵機を掃除機本体に収容するタイプの電気掃除機における利便性を向上させることができる。
【００１１】
また、サイクロン集塵機は、例えば、上記の排気筒、清掃具および摺動手段を有するサイクロン本体と、サイクロン集塵機内部で遠心分離された塵埃を集積する集積容器（ダストカップ）とで構成されるが、掃除機本体に対するサイクロン集塵機の着脱の際には、サイクロン本体と集塵容器とが一体となった状態であるので、その着脱動作時において、清掃具によってフィルタから掻き落とされた塵埃が、サイクロン集塵機の外部に漏洩することはない。
【００１２】
しかも、サイクロン集塵機内部に集積された塵埃をゴミ箱に捨てる際には、サイクロン本体から集塵容器を取り外す必要があるが、この取り外しは、サイクロン集塵機を掃除機本体から取り出した後に行われるようになるため、上記したフィルタ清掃を、サイクロン集塵機の掃除機本体に対する着脱動作時とすることにより、清掃によってフィルタから掻き落とされた塵埃を集塵容器に集積させる時間をかせぐことができる。つまり、集積容器をサイクロン本体から取り外すまでに、掻き落とされた塵埃の集塵容器への集積をほとんど済ませることができる。したがって、集塵容器をサイクロン本体から取り外すときには、掻き落とされた塵埃が、サイクロン本体と集積容器との間にできる隙間から外部に飛び散るということがほとんどなく、衛生面に優れた電気掃除機を提供することができる。
【００１３】
また、本発明の電気掃除機は、上述した電気掃除機において、排気筒が固定される固定板と、固定板に対して略垂直方向に立設されてその先端が固定板側に回動可能に支持される回動部材と、排気筒から排出される空気に含まれる塵埃を除去するための第２のフィルタが装填されるとともに第２のフィルタの非収容時に回動部材の先端と当接することによって回動部材の回動を阻止する回動阻止部を有する蓋体と、を備えた構成である。
【００１４】
上述した電気掃除機によれば、第２のフィルタをサイクロン集塵機側に設けているので、第２のフィルタの洗浄、交換等のメンテナンスがしやすくなり、使用者の使い勝手がよくすることができる。また、第２のフィルタの蓋体への非収容時に回動部材の回動が阻止されるので、使用者に第２のフィルタが非収容状態であることを容易に認識させることができ、第２のフィルタが非収容状態のまま、電気掃除機が誤使用されるという事態を防止することができる。
【００１５】
また、本発明の電気掃除機は、上述した電気掃除機において、蓋体は、排気筒の軸方向に対して第２のフィルタにおける空気の進入面が傾斜して配置されるように、第２のフィルタを収容させてもよい。
【００１６】
上述した構成とすることにより、排気筒の軸方向に対して第２のフィルタ面が垂直に配置される場合よりも、第２のフィルタ面の表面積を広げることができるので、第２のフィルタにおける捕塵能力を上げることができる。
【発明の効果】
【００１７】
本発明によれば、サイクロン集塵機の掃除機本体に対する着脱動作と連動して、摺動手段が、清掃具と、排気筒の排気口を覆うフィルタとを摺動させる。したがって、サイクロン集塵機の掃除機本体に対する取り付け、取り出しと同時に、フィルタが清掃具により自動清掃されるので、サイクロン集塵機を掃除機本体に収容するタイプの電気掃除機における利便性を向上させることができる。
【００１８】
また、掃除機本体に対するサイクロン集塵機の着脱の際には、サイクロン集塵機を構成するサイクロン本体と集塵容器とが一体となった状態であるので、その着脱動作時において、清掃具によってフィルタから掻き落とされた塵埃が、サイクロン集塵機の外部に漏洩することはない。
【００１９】
しかも、フィルタ清掃を、サイクロン集塵機の掃除機本体に対する着脱動作時とすることにより、清掃によってフィルタから掻き落とされた塵埃を集塵容器に集積させる時間をかせぐことができる。したがって、サイクロン集塵機を掃除機本体から取り出した後、集塵容器をサイクロン本体から取り外すときには、掻き落とされた塵埃が、サイクロン本体と集積容器との間にできる隙間から外部に飛び散るということがほとんどなく、衛生面に優れた電気掃除機を提供することができるという効果を奏する。
【００２０】
また、第２のフィルタをサイクロン集塵機側に設けているので、第２のフィルタの洗浄、交換等のメンテナンスがしやすくなり、使用者の使い勝手がよくなる。
【００２１】
また、第２のフィルタの蓋体への非収容時に回動部材の回動が阻止されるので、使用者に第２のフィルタが非収容状態であることを容易に認識させることができ、第２のフィルタが非収容状態のまま、電気掃除機が誤使用されるという事態を防止することができる。
【発明を実施するための最良の形態】
【００２２】
本発明の実施の一形態について、図１ないし図１３に基づいて説明すれば、以下の通りである。図２は、本発明の電気掃除機の概略の構成を示している。
【００２３】
本発明の電気掃除機は、掃除機本体１と、接続ホース２と、吸込口体３とを有している。接続ホース２は、吸込口体３から吸引された空気を掃除機本体１に供給するための供給路を構成している。吸込口体３は、次に示す電動送風機４の運転により、空気吸込口（図示しない）を介して空気を吸引する。
【００２４】
掃除機本体１は、電動送風機４と、サイクロン集塵機５とを有している。電動送風機４は、吸込口体３、接続ホース２およびサイクロン集塵機５を介して空気を吸引するものである。サイクロン集塵機５は、電動送風機４によって吸引された空気を旋回させ、上記空気に含まれる塵埃を遠心分離するものであり、掃除機本体１に対して着脱可能に設けられている。
【００２５】
上記構成において、掃除機本体１に収容された電動送風機４が駆動されると、吸込口体３の空気吸込口より空気が吸引され、接続ホース２を介してサイクロン集塵機５に送られる。このサイクロン集塵機５では、空気中に含まれる塵埃が遠心分離され、ダストカップ１２（図１参照）に集積される。一方、塵埃の除去された空気は、その後、サイクロン集塵機５の排気筒１５（図１参照）およびフィルタ部１６（図１参照）を介して、掃除機本体１に設けられた排出口（図示せず）より、機外に排出される。
【００２６】
次に、サイクロン集塵機５の詳細について、図１に基づいて説明する。図１は、掃除機本体１内での収容状態におけるサイクロン集塵機５の詳細な構成を示す断面図である。
【００２７】
なお、以下での説明の便宜上、電気掃除機において接続ホース２（図２参照）が接続される側を前方と称し、これとは反対側を後方と称することにする。また、サイクロン集塵機５の掃除機本体１からの取り出し方向を上方と称し、サイクロン集塵機５の掃除機本体１への収容方向を下方と称することにする。
【００２８】
サイクロン集塵機５は、図１に示すように、サイクロン本体１１と、ダストカップ１２（集塵容器）とを有している。すなわち、サイクロン集塵機５において、ダストカップ１２を除く部分がサイクロン本体１１を構成している。
【００２９】
ダストカップ１２は、吸引された空気の高速旋回によって遠心分離された塵埃を集積するための容器であり、上部が開口されて図示しないパッキンを介してサイクロン本体１１と着脱可能に連結されている。また、ダストカップ１２の側面上方には、吸込口体３および接続ホース２を介して供給される空気を機内に導入するための空気導入口１２ａが形成されている。ダストカップ１２の内部上方は、空気導入口１２ａを介して導入された空気が高速旋回されるサイクロン集塵室１２ｂを形成している。
【００３０】
サイクロン本体１１は、蓋体１３と、固定板１４と、排気筒１５と、フィルタ部１６と、清掃具１７と、摺動手段１８とを備えている。本発明は、特に、サイクロン本体１１が、清掃具１７と摺動手段１８とを備えた点に第１の特徴があり、さらにフィルタ部１６を備えている点に第２の特徴がある。以下、各構成について説明する。
【００３１】
蓋体１３は、ダストカップ１２の上蓋となる略円筒形の容器であり、天面１９と、側面部２０とで構成され、ダストカップ１２との接合側が開口している。天面１９には、サイクロン集塵機５をつかむことができるような把手となる窪みが形成されてもよいが、後述する屈曲部２０ａの形成により、これを不要とすることができる。天面１９に窪みを設けた場合、天面１９においてその窪みを除く部分は、掃除機本体１の上面と面一となるような滑らかな曲面で形成される。
【００３２】
また、側面部２０は、屈曲部２０ａと垂下部２０ｂとを有している。屈曲部２０ａは、天面１９の周縁から下方に垂れ下がり、蓋体１３の内部方向に屈曲して再び垂れ下がっている。垂下部２０ｂは、天面１９の周縁における後方から下方に垂れ下がり、掃除機本体１の後述する位置決め部３１の受け部３１ａと、サイクロン集塵機５の収容状態においてその先端が当接するように、蓋体１３の内部方向に屈曲して再び垂れ下がっている。
【００３３】
側面部２０に上記の屈曲部２０ａを形成することにより、後述する押圧ボタン３５の押圧によってサイクロン集塵機５を掃除機本体１からポップアップさせたときに、屈曲部２０ａがサイクロン集塵機５の把手の役目を果たす。したがって、この場合は、上述したように天面１９に窪みを設ける必要がなくなり、天面１９を、掃除機本体１の上面と完全に面一にすることができる。また、この場合、電気掃除機全体としての見栄えもよくなる。
【００３４】
なお、垂下部２０ｂの形成位置は、側面部２０における後方に限定されるわけではなく、側面部２０の周方向にずれていても構わない。要は、垂下部２０ｂは、掃除機本体１の位置決め部３１（受け部３１ａ）の位置に対応して形成されていればよい。
【００３５】
ここで、図３は、掃除機本体１の平面図を示しているが、本実施形態では、垂下部２０ｂは、掃除機本体１側の後述する係止部３４と接触しないように、側面部２０の後方から周方向にずれて形成されている。
【００３６】
また、側面部２０には、掃除機本体１側の後述する係止部３４が挿通される開口部（図示せず）が形成されている。この開口部は、サイクロン集塵機５が掃除機本体１に対して着脱方向（上下方向）に移動しても、係止部３４が上記開口部を介して水平方向に移動できるように、縦長（上下方向）に開口されている。
【００３７】
固定板１４は、蓋体１３のダストカップ１２側の開口部を塞いで蓋体１３に着脱可能に固定されるものである。この固定板１４には、蓋体１３とダストカップ１２とを密接に連結するための円盤状のパッキン（図示せず）が取り付けられている。固定板１４の略中央部には、排気筒１５の径に対応した開口部が形成されており、排気筒１５は、その開口部が固定板１４の開口部と一致するように、固定板１４に固定されている。また、固定板１４は、後述する連結棒４４が嵌挿される孔（図示せず）を有している。
【００３８】
排気筒１５は、サイクロン集塵室１２ｂにて塵埃を遠心分離した後の空気を排出するための複数の排気口が周面に開口された円筒であり、その周面には、上記排気口を覆うようにフィルタ１５ａ（第１のフィルタ）が被覆されている。フィルタ１５ａは、サイクロン集塵室１２ｂでの遠心分離によってもなお除去されなかった細かな塵埃を除去するものであり、例えばメッシュ状に形成されている。
【００３９】
排気筒１５の軸方向における一端は、上述したように固定板１４の開口部に連結されている。したがって、排気筒１５は、固定板１４を介して蓋体１３と一体化される。一方、排気筒１５の軸方向の他端は、上記軸方向から見た形状が十字形の抑止弁２１に連結されている。抑止弁２１は、サイクロン集塵室１２ｂにおける空気の高速旋回によって、ダストカップ１２内の塵埃が舞い上がるのを抑止するためのものである。
【００４０】
フィルタ部１６は、排気筒１５から排気される空気をさらに清浄化してサイクロン本体１１外部に排出するものであるが、その詳細な構成については、本発明の第２の特徴として後述することにする。
【００４１】
以上の構成により、サイクロン集塵機５の空気導入口１２ａからサイクロン集塵室１２ｂに導入された空気は、サイクロン集塵室１２ｂにて高速旋回され、排気筒１５の周面のフィルタ１５ａおよび排気口を介して排気筒１５内に進入する。このとき、サイクロン集塵室１２ｂにて空気から除去されなかった塵埃のほとんどは、フィルタ１５ａにて除去される。
【００４２】
フィルタ１５ａおよび排気口を通過した空気は、排気筒１５の内部を軸方向蓋体１３側に進行し、固定板１４の開口部を介してフィルタ部１６に供給される。そして、上記空気はフィルタ部１６にてさらに清浄化され（フィルタ１５ａにて除去されなかった塵埃が除去され）、フィルタ部１６の図示しない排気口からサイクロン集塵機５の外部に排出され、掃除機本体１内の図示しない排気路および電動送風機４を介して掃除機本体１の外部に排出される。
【００４３】
次に、本発明の第１の特徴である清掃具１７および摺動手段１８について説明する前に、サイクロン集塵機５の掃除機本体１に対する着脱動作を可能にさせる機構（ポップアップ機構）について、図１に基づいて説明する。同図に示すように、掃除機本体１は、位置決め部３１と、操作部３２とを有している。
【００４４】
位置決め部３１は、サイクロン集塵機５の掃除機本体１内での収容位置を位置決めする部材であり、サイクロン集塵機５の収容状態にて、ダストカップ１２の側面に沿うように、掃除機本体１の底部１ｂに立設されている。詳しくは、位置決め部３１は、後述するサイクロン集塵部５の第２支持部４１ｂ（支持部４１）の下部を水平に受ける受け部３１ａを有している。そして、この受け部３１ａの一端がダストカップ１２の側面に沿って掃除機本体１の底部１ｂの方向に伸びている一方、他端が底部１ｂとは反対方向に伸びて位置決め部３１が構成されている。
【００４５】
操作部３２は、サイクロン集塵機５の掃除機本体１からの取り出し操作を行うためのものであり、支持部３３と、係止部３４と、押圧ボタン３５と、回動部３６とを有している。
【００４６】
支持部３３は、係止部３４を支持するためのものであり、水平支持部３３ａと、壁部３３ｂとを有している。水平支持部３３ａは、係止部３４がサイクロン集塵機５の後述する被係止部４３を係止、または、それを解除する方向（水平方向）に、係止部３４をスライド可能に支持する。壁部３３ｂは、サイクロン集塵機５の収容位置とは反対側で、水平支持部３３ａとほぼ垂直に形成されており、サイクロン集塵機５の掃除機本体１からの取り出し時において、被係止部４３の係止を解除する方向への係止部３４の必要以上のスライドを阻止する。つまり、係止部３４が被係止部４３の係止を完全に解除する時点までスライドしたときには、係止部３４の後端（被係止部４３との接触側とは反対側の端部）が壁部３３ｂと接触することで、係止部３４の必要以上のスライドが阻止される。
【００４７】
係止部３４は、サイクロン集塵機５の掃除機本体１内での収容時に、サイクロン集塵機５の被係止部４３を係止するものであり、その先端（被係止部４３との接触側）は、上方から下方に向かうにつれて広がるテーパー形状になっている。また、係止部３４は、スライド方向の略中央部に、回動部３６の後述する腕部３６ｂの先端が嵌る凹部３４ａを有している。したがって、腕部３６ｂの先端が凹部３４ａの内面と当接しながら回動することで、係止部３４自体が支持部３３にて支持されながら水平方向にスライドするようになる。
【００４８】
なお、係止部３４のスライド方向における凹部３４ａの幅は、腕部３６ｂが凹部３４ａの開口部と接触することによって腕部３６ｂの回動が妨げられるのを回避できる程度に設定されていればよい。
【００４９】
押圧ボタン３５は、サイクロン集塵機５の掃除機本体１からの取り出し時に、係止部３４による被係止部４３の係止を解除させるためのボタンであり、回動部３６の腕部３６ｂに固定されている。
【００５０】
回動部３６は、押圧ボタン３５の押圧動作に伴って回動することにより、被係止部４３を係止またはその係止を解除する方向に係止部３４をスライドさせるものであり、回動軸３６ａと、腕部３６ｂとを有している。腕部３６ｂの一端は、この回動軸３６ａに固定されている一方、他端は、係止部３４の凹部３４ａに嵌り、凹部３４ａの内面と当接するようになっている。腕部３６ｂは、回動軸３６ａから屈曲して凹部３４ａの方向に向かうように形成されている。
【００５１】
また、操作部３２は、図示しない第１付勢手段（例えばバネ）を備えている。この第１付勢手段は、被係止部４３を係止する方向に係止部３４がスライドするように、凹部３４ａに嵌る腕部３６ｂの回動方向（図１では時計回りの方向）に当該腕部３６ｂを付勢している。これにより、押圧ボタン３５の押圧時以外は、腕部３６ｂが上記付勢方向の回動により、係止部３４が被係止部４３を係止する方向にスライドすることになるので、係止部３４は、常に、被係止部４３を係止する位置に置かれる。
【００５２】
なお、第１付勢手段は、腕部３６ｂ自体を上記回動方向に付勢するのではなく、被係止部４３を係止する方向に係止部３４自体を付勢する構成であってもよい。つまり、図１０に示すように、係止部３４と壁部３３ｂとの間にバネ等の付勢手段３７を第１付勢手段として設ける構成であってもよい。以下、第１付勢手段と言えば、腕部３６ｂ自体を付勢する構成、係止部３４自体を付勢する構成、上記両者を付勢する構成のいずれかを含む意味とする。
【００５３】
また、図示はしないが、操作部３２は、腕部３６ｂの回動を制限する制限部材を有している。この制限部材は、係止部３４が被係止部４３を係止する係止位置からさらにサイクロン集塵機５の内部に向かう方向にスライドするのを回避するために、係止部３４の凹部３４ａの移動による腕部３６ａの回動（図１で言えば、時計回りの方向の回動）を制限している。
【００５４】
上記のように、係止部３４自体を付勢する構成と、腕部３６ｂの回動を制限する構成とを併用すれば、係止部３４が被係止部４３を確実に係止できるので、掃除機本体１内に収容したサイクロン集塵機５のがたつきや、腕部３６ｂのがたつきをなくすことができる。また、掃除機本体１の持ち運び時の落下や外部との衝突によって掃除機本体１が衝撃を受けても、係止部３４による被係止部４３の係止が不用意に解除されるのを防止することができる。これにより、サイクロン集塵機５が掃除機本体１から不用意に飛び出るのを防止することができ、安全設計の電気掃除機を提供することができる。
【００５５】
以上の構成により、操作部３２は、全体として、サイクロン集塵機５の掃除機本体１からの取り出し時に、押圧ボタン３５の押圧操作により、被係止部４３に対する係止部３４の係止を解除するための操作を行うものとして機能している。
【００５６】
次に、本発明の第１の特徴である清掃具１７および摺動手段１８について、図１に基づいて説明する。
【００５７】
清掃具１７は、排気筒１５の周面のフィルタ１５ａと摺動することによってフィルタ１５ａを清掃するものであり、フィルタ１５ａの周面に沿ってフィルタ１５ａと摺動するブラシと、そのブラシを支持する平板状の支持部材とで構成されている。清掃具１７は、サイクロン集塵機５の掃除機本体１での収容状態では、例えば固定板１４と接触する位置に配されている。
【００５８】
摺動手段１８は、サイクロン集塵機５の掃除機本体１に対する着脱動作と連動して、清掃具１７とフィルタ１５ａとを摺動させるものであり、支持部４１と、第２付勢手段４２と、被係止部４３と、筐体４５とを有している。
【００５９】
筐体４５は、蓋体１３内部で第２付勢手段４２を収容するものであり、固定板１４に固定されている。したがって、筐体４５は、固定板１４を介して蓋体１３と一体的に構成されている。また、筐体４５の側面には、支持部４１が嵌挿される縦長の開口部（図示せず）が形成されており、支持部４１が筐体４５を開口部を介して横切ったまま、筐体４５が支持部４１に対して相対的に上下方向に移動可能となっている。
【００６０】
支持部４１は、第１支持部４１ａと、第２支持部４１ｂとで構成されている。第１支持部４１ａは、水平方向に延びた平板で構成され、その一部が筐体４５内に位置しているとともに、残りの部分が筐体４５の開口部を介して筐体４５外部に水平に突出している。この第１支持部４１ａは、排気筒１５の軸方向に沿う方向に伸びる連結棒４４を介して、清掃具１７と連結されている。
【００６１】
第２支持部４１ｂは、第１支持部４１ａと一体的に構成されるとともに、第１支持部４１ａの側方（後方）から下方に垂れ下がる形状となっている。この第２支持部４１ｂの下端が、掃除機本体１側の上記した位置決め部３１（受け部３１ａ）と接触することで、第２支持部４１ｂが位置決め部３１にて支持される。
【００６２】
したがって、第１支持部４１ａと第２支持部４１ｂとからなる支持部４１は、全体として、清掃具１７と連結棒４４を介して連結されるとともに、掃除機本体１側に設けられる位置決め部３１にて支持されていると言うことができる。
【００６３】
第２付勢手段４２は、例えばバネで構成されており、その一端は、第１支持部４１ａにおける連結棒４４の支持面とは反対側の面で支持されている一方、他端は、第２付勢手段４２を介して第１支持部４１ａと対向する位置にある筐体４５の壁面に支持されている。つまり、第２付勢手段４２は、支持部４１よりも上方に位置している。
【００６４】
ここで、第１支持部４１ａは、上述したように、第２支持部４１ｂと一体的に構成されており、この第２支持部４１ｂは、掃除機本体１の位置決め部３１にて支持されるため、第２付勢手段４２は、位置決め部３１にて支持された支持部４１を支点として、筐体４５を上方に付勢するとともに、この筐体４５と固定板１４を介して一体的となる蓋体１３を上方に付勢する状態となる。したがって、第２付勢手段４２の付勢力によって蓋体１３が上方に持ち上げられると、蓋体１３に固定板１４を介して固定された排気筒１５も、静止した清掃具１７に対して相対的に上方に移動することになる。
【００６５】
このことから、第２付勢手段４２は、サイクロン本体１１の蓋体１３に固定板１４を介して固定された排気筒１５がサイクロン集塵機５の掃除機本体１からの取り出し方向に、支持部４１を支点として蓋体１３を付勢しているものであると言える。
【００６６】
被係止部４３は、サイクロン集塵機５の掃除機本体１での収容位置にて、掃除機本体１側の係止部３４によって係止される部分であり、固定板１４に固定されている。よって、第２付勢手段４２によって筐体４５および蓋体１３に働く上方向の付勢力は、蓋体１３と固定板１４を介して固定される被係止部４３にも上方向に働く。したがって、サイクロン集塵機５が掃除機本体１内に収容されているときは、被係止部４３は、第２付勢手段４２の付勢力に抗して掃除機本体１側の係止部３４によって係止される。
【００６７】
次に、上記構成による動作について説明する。  サイクロン集塵機５を掃除機本体１に収容した状態では、操作部３２の第１付勢手段による付勢力により、被係止部４３を係止する方向に係止部３４がスライドしており、被係止部４３が係止部３４によって係止されている。
【００６８】
このとき、上述したように、筐体４５には、支持部４１を支点とする第２付勢手段４２による上方向の付勢力が働いているが、被係止部４３が係止部３４によって係止されていることで、筐体４５およびそれを含むサイクロン集塵機５は、上記付勢力によって上方向に移動することができない。つまり、被係止部４３に第２付勢手段４２による上方向の付勢力が働いている状態で、サイクロン集塵機５は、掃除機本体１内に収容されていることになる。
【００６９】
この状態から、操作部３２の押圧ボタン３５を押圧すると、図４に示すように、腕部３６ｂの回動によって係止部３４が被係止部４３との係止を解除する方向にスライドする。すると、係止部３４による被係止部４３の係止が解除されるため、第２付勢手段４２による上方向の付勢力によって、筐体４５およびそれを含むサイクロン集塵機５全体が、掃除機本体１内での最初の収容位置から上方に移動（ポップアップ）する。なお、サイクロン集塵機５の上方移動は、筐体４５が固定された固定板１４が支持部４１（第１支持部４１ａ）に当接するまで行われる。
【００７０】
このとき、支持部４１には、第２付勢手段４２の上方向の付勢力とは反対方向（下方向）の反力が働いていることになるが、支持部４１は、掃除機本体１側の位置決め部３１（上記下方向の反力を受ける受け部３１ａ）にて支持されているため、支持部４１は下方に移動しない。それゆえ、支持部４１と連結棒４４を介して連結された清掃具１７も移動せず、静止したままである。
【００７１】
また、蓋体１３には、固定板１４を介して排気筒１５が固定されているので、蓋体１３および固定板１４の上方への移動とともに、排気筒１５も静止した清掃具１７に対して相対的に上方に移動する。これにより、排気筒１５に被覆されたフィルタ１５ａは、清掃具１７のブラシと相対的に摺動することになり、フィルタ１５ａに付着した塵埃が上記ブラシによって掻き落とされる。このような排気筒１５の相対的な上方移動により、清掃具１７は、排気筒１５の下方に相対的に移動する。
【００７２】
サイクロン集塵機５のダストカップ５ｂに溜まった塵埃をゴミ箱に捨てる場合には、上記ポップアップしたサイクロン集塵機５を掃除機本体１から完全に取り出し、ダストカップ５ｂのみをサイクロン本体１１から外すことで、ダストカップ５ｂ内部の塵埃を捨てることができる。
【００７３】
次に、取り出したサイクロン集塵機５を再度、掃除機本体１に収容する場合には、サイクロン集塵機５の支持部４１（第２支持部４１ｂ）の先端が位置決め部３１に当接するまで、そのままサイクロン集塵機５を掃除機本体１に収容していき、上記先端が当接すれば、そこからは、第２付勢手段４２による付勢力に抗して、蓋体１３を下方に押し下げる。
【００７４】
このとき、支持部４１には、上記と同様に、第２付勢手段４２の上方向の付勢力とは反対方向の反力が働くことになるが、支持部４１は、掃除機本体１側の位置決め部３１（受け部３１ａ）と当接しており、位置決め部３１にて支持されるため、支持部４１は下方に移動しない。それゆえ、支持部４１と連結棒４４を介して連結された清掃具１７も移動せず、静止したままとなる。
【００７５】
そして、蓋体１３を下方に押し続けると、蓋体１３と一体的な排気筒１５も清掃具１７に対して相対的に下方に移動することになり、排気筒１５に被覆されたフィルタ１５ａが、清掃具１７のブラシと相対的に摺動する。したがって、たとえ、サイクロン集塵機５の掃除機本体１からの取り出し時に、掻き落とされずにフィルタ１５ａに塵埃が残っている場合であっても、サイクロン集塵機５の掃除機本体１への収容時に、フィルタ１５ａに残っている塵埃を上記ブラシによって掻き落とすことができる。
【００７６】
一方、サイクロン集塵機５を掃除機本体１から取り出した後は、押圧ボタン３５の押圧は解除されているため、係止部３４は、第１付勢手段の付勢力によって被係止部４３を係止できる位置まで既にスライドしている。
【００７７】
したがって、蓋体１３を下方に押圧していくと、やがては蓋体１３に固定板１４を介して固定された被係止部４３が係止部３４の先端と当接する。このとき、係止部３４の先端は、上方から下方に広がるテーパー形状で形成されているので、蓋体１３の下方への押圧により、係止部３４は被係止部４３の係止解除の方向、つまり、サイクロン集塵機５から離れる方向に力を受ける。これにより、係止部３４は、被係止部４３の下降が進むにつれて、サイクロン集塵機５から離れる方向にスライドする。これに伴い、係止部３４の凹部３４ａの内面は、腕部３６ｂと当接して、若干腕部３６ｂを回動させる。
【００７８】
そして、下降する被係止部４３が係止部３４のスライド位置を完全に通り過ぎたときには、係止部３４には上記係止解除の方向への力が働かないので、係止部３４は、第１付勢手段の付勢力によって、再び、被係止部４３を係止する位置までスライドする。また、このとき、蓋体１３の垂下部２０ｂの先端が、位置決め部３１の受け部３１ａに当接して、サイクロン集塵機５の掃除機本体１への収容が完了する。
【００７９】
なお、係止部３４が上記位置までスライドしたときは、被係止部４３は係止部３４の下面にて係止される状態となるので、蓋体１３の下方への押圧を止めても、サイクロン集塵機５が上方に飛び出ることはない。
【００８０】
以上のように、本実施形態では、サイクロン集塵機５の掃除機本体１に対する着脱動作と連動して、摺動手段１８が、排気筒１５に被覆されたフィルタ１５ａと清掃具１７とを摺動させる。これにより、サイクロン集塵機５の掃除機本体１に対する取り付け、取り出しと同時に、フィルタ１５ａが清掃具１７により自動清掃されるので、サイクロン集塵機５を掃除機本体１に収容するタイプの電気掃除機における利便性を向上させることができる。
【００８１】
また、清掃具１７によるフィルタ１５ａの清掃は、サイクロン集塵機５の掃除機本体１に対する着脱動作時に行われ、このときには、サイクロン集塵機５は、サイクロン本体１１とダストカップ１２とが分離されず、一体となったままであるので、この動作時において、清掃具１７によってフィルタ１５ａから掻き落とされた塵埃が、サイクロン集塵機５の外部に漏洩することはない。
【００８２】
しかも、フィルタ１５ａの清掃を、サイクロン集塵機５の掃除機本体１に対する着脱動作時とすることにより、清掃によってフィルタ１５ａから掻き落とされた塵埃をダストカップ１２に集積させる時間をかせぐことができる。これにより、ダストカップ１２をサイクロン本体１１から取り外すときには、上記塵埃のダストカップ１２への集積がほとんど済んでいるため、フィルタ１５ａから掻き落とされた塵埃が、サイクロン本体１１とダストカップ１２との間の隙間から外部に飛び散るということがほとんどなく、衛生面に優れた電気掃除機を提供することができる。
【００８３】
また、本実施形態では、サイクロン本体１１は、排気筒１５が固定される固定板１４を備えており、摺動手段１８は、清掃具１７と連結棒４４を介して連結されるとともに、掃除機本体１側に設けられる位置決め部３１にて支持される支持部４１と、サイクロン集塵機５の掃除機本体１からの取り出し方向に、支持部４１を支点として固定板１４に固定される筐体４５を付勢する第２付勢手段４２とを備えている。
【００８４】
これにより、第２付勢手段４２による筐体４５の上記取り出し方向への付勢力により、筐体４５が上記取り出し方向に移動すると、固定板１４に固定された排気筒１５も上記取り出し方向に移動することになる。したがって、支持部４１と連結棒４４を介して連結された清掃具１７に対して、排気筒１５が相対的に移動するようになり、サイクロン集塵機５の掃除機本体１からの取り出し時に、フィルタ１５ａを確実に清掃することができる。
【００８５】
また、サイクロン集塵機５を掃除機本体１の収容方向に、第２付勢手段４２の上記付勢力に抗して移動させたときも、清掃具１７に対して、排気筒１５が相対的に上記とは逆方向に移動する。したがって、上記構成によれば、サイクロン集塵機５の掃除機本体１への収容時においても、フィルタ１５ａを確実に清掃することができる。
【００８６】
また、本実施形態では、サイクロン本体１１は、サイクロン集塵機５の掃除機本体１での収容位置にて、第２付勢手段４２の付勢力に抗して掃除機本体１側の係止部３４によって係止される被係止部４３を備えている。これにより、サイクロン集塵機５の掃除機本体１での収容状態では、被係止部４３が係止部３４にて係止されることで、サイクロン集塵機５を掃除機本体１内で静止させたまま保持することができる。
【００８７】
また、本実施形態では、掃除機本体１は、サイクロン集塵機５の取り出し時に、押圧ボタン３５の押圧操作により、被係止部４３に対する係止部３４の係止を解除するための操作部３２を備えている。これにより、押圧ボタン３５の押圧によって、係止部３４による被係止部４３の係止を解除した瞬間に、第２付勢手段４２の付勢力によって、サイクロン集塵機５を上記付勢方向に移動（ポップアップ）させることができる。したがって、押圧ボタン３５の押圧動作に連動して、サイクロン集塵機５を掃除機本体１から取り出すことができるとともに、この取り出し動作に連動して、清掃具１７によるフィルタ１５ａの清掃を行うことができる。
【００８８】
なお、本実施形態で説明した電気掃除機において、掃除機本体１を縦置き状態にしたときに、被係止部４３に対する係止部３４の係止解除動作を阻止する阻止部（係止解除阻止部）を掃除機本体１に設けるようにしてもよい。このような阻止部としては、例えば、電気掃除機を縦置き状態にしたときに、押圧ボタン３５の押圧が行われる空間内に押圧動作を妨げる障害物（例えば小型のボール）を配する構成や、係止部３４の後端と壁部３３ｂとの間に上記障害物を配する構成が考えられる。
【００８９】
例えば、図１１は、上記係止解除阻止部の一例としての阻止部６１の概略の構成を示す断面図である。なお、同図では、回動部３６および係止部３４の図示を省略している。阻止部６１は、小型の鋼球６２と、電気掃除機（掃除機本体１）の設置状態に応じて鋼球６２を移動させる案内部６３とを有している。
【００９０】
案内部６３は、掃除機本体１の横置き状態（サイクロン集塵機５の取り出し方向が略鉛直方向となる状態）では、図１２（ａ）に示すように、押圧ボタン３５の押圧（移動）が行われる空間内から鋼球６２を退避させる一方、掃除機本体１の縦置き状態（サイクロン集塵機５の取り出し方向が略水平方向となる状態）では、図１２（ｂ）に示すように、押圧ボタン３５の押圧（移動）が行われる空間内に鋼球６２を案内する（移動させる）ものであり、そのような案内を行う斜面部６３ａと、斜面部６３ａおよび鋼球６２を保持する筐体６３ｂとで構成されている。
【００９１】
この構成により、掃除機本体１の横置き状態では、鋼球６２が斜面部６３ａに沿って下方に落下し、上記押圧空間から退避することで、押圧ボタン３５の押圧は妨げられない。したがって、押圧ボタン３５の押圧動作と連動して、被係止部４３の係止を解除する方向に係止部３４がスライドし、サイクロン集塵機５がポップアップすることになる。一方、掃除機本体１の縦置き状態では、斜面部６３ａの案内によって鋼球６２が押圧ボタンの押圧空間内に移動することで、押圧ボタン３５の押圧動作が鋼球６２により妨げられる。このため、押圧ボタン３５の押圧動作と連動する係止部３４がスライドせず、被係止部４３を係止したままとなるので、サイクロン集塵機５がポップアップにより飛び出ることはない。
【００９２】
以上のことから、本実施形態の電気掃除機は、掃除機本体１を、サイクロン集塵機５の取り出し方向が略水平方向となる縦置き状態にしたときに、被係止部４３に対する係止部３４の係止を解除するための操作部３２における（押圧ボタン３５の）押圧操作を阻止する阻止部６１（押圧操作阻止部）を備えているとも言える。
【００９３】
電気掃除機の横置き状態では、サイクロン集塵機５を上方にポップアップさせても、サイクロン集塵機５にはある程度の重力がかかっているので、第２付勢手段４２の付勢力にもよるが、サイクロン集塵機５が慣性力で掃除機本体１から飛び出す事態はほとんどない。しかし、電気掃除機の縦置き状態では、サイクロン集塵機５を横方向にポップアップさせると、当該横方向の慣性力によってサイクロン集塵機５が容易に掃除機本体１から飛び出してしまい、サイクロン集塵機５が落下して破損する場合がある。したがって、掃除機本体１に上記阻止部（係止解除阻止部）を設けることにより、電気掃除機の縦置き状態におけるそのような不都合を確実に防止することができる。
【００９４】
また、電気掃除機の販売店においては、配置スペースの関係上、陳列棚に電気掃除機が縦置き状態で載置される場合がほとんどである。この場合に、上記の係止解除阻止部がないと、例えば子供が不意に押圧ボタン３５を押したときには、横方向にポップアップしたサイクロン集塵機５が子供に当たって怪我をするという事態も想定される。しかし、本実施形態のように係止解除阻止部を掃除機本体１に設けることで、そのような最悪の事態も防止することができる。
【００９５】
また、本実施形態の電気掃除機においては、図１３に示すように、掃除機本体１に、サイクロン集塵機５を取り出し方向に付勢する第３付勢手段７１を設ける構成であってもよい。なお、上述した第２付勢手段４２も、サイクロン集塵機５を取り出し方向に付勢しているが、この第２付勢手段４２はサイクロン集塵機５内に設けられているため、これら両者を区別するときには、第２付勢手段４２をサイクロン側付勢手段と称する一方、掃除機本体１側に設けられる第３付勢手段７１を本体側付勢手段と称する。
【００９６】
第３付勢手段７１は、例えばつるまきバネや板バネ等の弾性体で構成されており、一端が掃除機本体１の底部１ｂにて支持されている一方、他端が掃除機本体１内に収容されるサイクロン集塵機５のダストカップ１２の側面に設けられる被係止部１２ｃもしくはダストカップ１２の底部と離接可能となっている。これにより、第３付勢手段７１は、これと被係止部１２ｃにて接触したサイクロン集塵機５を取り出し方向に付勢する。なお、本実施形態では、被係止部１２ｃは、ダストカップ１２の側面から内部方向に屈曲して形成されているが、上記側面から外部方向に突出した凸部で形成されても構わない。
【００９７】
サイクロン本体１１が備える清掃具１７は、排気筒１５の周面のフィルタ１５ａと摺動するために、中央部に上記周面に応じた開口を有している。このような構造上、清掃具１７は、図１および図４で示したように、連結棒４４と清掃具１７の端部でいわゆる片持ち状態で連結されている。このような片持ち状態では、清掃具１７は不安定な状態で連結部４４に支持されるため、第２付勢手段４２の付勢力により、サイクロン集塵機５が取り出し方向にポップアップして清掃具１７とフィルタ１５ａとが摺動する際に、フィルタ１５ａが清掃具１７につっかえやすい。その結果、ポップアップ動作がスムーズにいかない場合がある。
【００９８】
ここで、そのような不都合を回避するために、例えば、清掃具１７を、フィルタ１５ａを間にして両方から連結棒４４で支持する構成も考えられる。しかし、それではサイクロン集塵機５自体の構造が複雑になるとともに、サイクロン集塵機５が大型になり、電気掃除機の小型化を阻む。一方、サイクロン集塵機５の大きさを変えず、サイクロン集塵室１２ｂの容積を減らした場合には、サイクロン集塵機５の本来の集塵機能が低下する。
【００９９】
そこで、図１３に示すように、掃除機本体１に上述した第３付勢手段７１を設け、サイクロン集塵機５を取り出し方向に付勢することで、第２付勢手段４２の付勢力によるサイクロン集塵機５のポップアップを、第３付勢手段７１の付勢力によって援助することができる。その結果、サイクロン集塵機５を確実に、かつ、スムーズにポップアップさせることができる。
【０１００】
このとき、第３付勢手段７１は、サイクロン集塵機５内の空気の旋回の中心となる中心軸に対して、第２付勢手段４２とは反対側に設けられる構成が望ましい。これにより、サイクロン集塵機５が上記中心軸を挟んで両側から取り出し方向に付勢されるので、サイクロン集塵機５をより一層確実に、かつ、スムースにポップアップさせることができる。
【０１０１】
次に、本発明の第２の特徴であるフィルタ部１６について、図１、図５ないし図９に基づいて説明する。
【０１０２】
図５は、サイクロン本体１１の蓋体１３を固定板１４（図１参照）との接触側から見たときの斜視図を示している。蓋体１３は、固定板１４と離接可能に設けられている。上述したフィルタ部１６は、この蓋体１３内部に形成されており、フィルタ５１（図６参照）と、フィルタ収容部５２と、第１凹部５３と、第２凹部５４とを有している。第２凹部５４には、固定板１４を蓋体１３に固定したときに、その固定板１４に固定された上述の筐体４５が嵌るようになっている。
【０１０３】
フィルタ５１は、排気筒１５から排気される空気に含まれる塵埃を除去するものであり、本実施形態では、図６に示すように、円盤の一部を切り落とした形状で形成されている。
【０１０４】
フィルタ収容部５２は、フィルタ５１を収容するものであり、その上面には、フィルタ５１を通過した空気の通過孔となる孔５２ａが形成されている。
【０１０５】
第１凹部５３は、フィルタ５１がフィルタ収容部５２に収容されていないときに、固定板１４に固定された回動部材１４ａ（図９参照）の先端が嵌って当接することによって、その回動を阻止する部分である。つまり、第１凹部５３は、フィルタ５１の非収容時に、回動部材１４ａの先端と当接することによって回動部材１４ａの回動を阻止する回動阻止部を構成している。
【０１０６】
この回動部材１４ａは、固定板１４において、排気筒１５が固定された面と反対側の面であって、第１凹部５３とほぼ対向する位置に回動自在に固定されており、その先端は、第１凹部５３に嵌るような回動方向に常に付勢されている。そして、回動部材１４ａは、固定板１４に対して略垂直方向となるように固定板１４にて支持されている。つまり、回動部材１４ａは、固定板１４に対して略垂直方向に立設され、その先端が上記付勢力に抗して固定板１４側に回動可能となるように固定板１４にて支持されている。
【０１０７】
また、回動部材１４ａの長さは、固定板１４と第１凹部５３との最長距離（固定板１４と第１凹部５３の最深部分との距離）よりも長く形成されている。また、回動部材１４ａは、固定板１４に対して略垂直方向に立接されているため、上方からの力によって、固定板１４側に回動しやすくなっている。
【０１０８】
ここで、図７は、フィルタ５１をフィルタ収容部５２に収容した蓋体１３の斜視図を示しており、図８は、固定板１４が固定された蓋体１３を、図７のＡ方向から見たときの断面図を示している。フィルタ収容部５２は、図８に示すように、排気筒１５（図１参照）の軸方向に対してフィルタ５１における空気の進入面（以下、フィルタ面と称する）が傾斜して配置されるように、フィルタ５１を収容している。これにより、排気筒１５の軸方向に対してフィルタ面が垂直に配置される場合よりも、フィルタ面の表面積を広げることができるので、フィルタ５１における捕塵能力を少しでも上げることができる。
【０１０９】
また、フィルタ５１には、図６に示すように、止め具５５が装着されており、フィルタ５１を蓋体１３（フィルタ収容部５２）に収容したときには、図７に示すように、この止め具５５が第１凹部５３を塞ぐようになっている。
【０１１０】
以上の構成により、フィルタ５１に止め具５５を装着してフィルタ５１をフィルタ収容部５２に収容しているときは、図８に示すように、止め具５５が第１凹部５３を塞いでいるため、蓋体１３を固定板１４に対して垂直に被せると（または固定板１４を蓋体１３に垂直に被せると）、固定板１４に固定された回動部材１４ａの先端がフィルタ５１の止め具５５と当接しながら、固定板１４側に回動する。これにより、蓋体１３と固定板１４とがさらに接近することが可能となり、蓋体１３と固定板１４とを密接して固定することが可能となる。このような動作を行うことから、フィルタ５１に装着される止め具５５は、フィルタ５１の蓋体１３への収容時に、回動部材１４ａの第１凹部５３への当接を阻止するとともに、回動部材１４ａの先端を固定板１４側に回動させる当接阻止部材として機能している。
【０１１１】
一方、フィルタ５１をフィルタ収容部５２に収容していないときは、蓋体１３を固定板１４に対して垂直に被せると、図９に示すように、回動部材１４ａの先端が第１凹部５３に嵌り、回動部材１４ａの回動が阻止される。したがって、蓋体１３は、これ以上、固定板１４との接触方向に移動することができず、回動部材１４ａが上記した長さで形成されていることにより、蓋体１３と固定板１４との間に隙間ｄが形成されることとなる。つまり、この状態では、蓋体１３と固定板１４とを固定することはできない。
【０１１２】
以上のように、本実施形態では、サイクロン本体１１は、排気筒１５から排出される空気に含まれる塵埃を除去するためのフィルタ５１が装填される蓋体１３（またはフィルタ部１６）を備えており、フィルタ５１は、掃除機本体１側ではなく、サイクロン集塵機５側に設けられる。これにより、ダストカップ１２や、排気筒１５に被覆されるフィルタ１５ａとともに、水洗いや清掃を必要とする部材を全てサイクロン集塵機５側に集約することができる。
【０１１３】
例えば、フィルタ５１がサイクロン集塵機５外部の掃除機本体１内に設けられていれば、サイクロン集塵機５の取り出しとは別に、掃除機本体１からフィルタ５１を取り出すという作業が必要となるため、取り出しの煩わしさを嫌う使用者にとっては、フィルタ５１の洗浄、交換等のメンテナンスを拒否しがちとなる。しかし、本実施形態のように、フィルタ５１をサイクロン集塵機５側に設ければ、例えば、ダストカップ１２の洗浄のついでに、フィルタ５１の洗浄、交換等のメンテナンスがしやすくなり、使用者の使い勝手がよくなるという利点がある。
【０１１４】
また、本実施形態では、フィルタ５１の蓋体１３への収容状態では、固定板１４に蓋体１３を被せたときに、回動部材１４ａは、その先端が止め具５５と当接しながら固定板１４側に回動するので、上述のように蓋体１３と固定板１４とを接触させ、これらを一体化することが可能となる。一方、フィルタ５１の蓋体１３への非収容状態では、固定板１４に蓋体１３を被せたときに、回動部材１４ａの先端が第１凹部５３に嵌ることによって回動部材１４ａの回動が阻止されるので、蓋体１３が固定板１４に対して閉まらなくなる。したがって、使用者にフィルタ５１が非収容状態であることを容易に認識させることができ、フィルタ５１の非収容状態のまま、電気掃除機が誤使用されるという事態を確実に防止することができる。
【０１１５】
なお、本実施形態では、蓋体１３に第１凹部５３を回動阻止部として形成した例について説明したが、フィルタ５１の蓋体１３への非収容時に、回動部材１４ａの先端と当接することによって回動部材１４ａの回動を阻止することができるのであれば、凹部（第１凹部５３）には限定されない。例えば、フィルタ５１の蓋体１３への非収容時に、回動部材１４ａの回動を妨げる突起や壁部を上記の回動阻止部として蓋体１３に設ける構成であってもよい。
【０１１６】
なお、上述した第１付勢手段や第２付勢手段４２は、第３付勢手段７１と同様に、バネ（つるまきバネ）以外にも、板バネなどの弾性体で構成することが可能である。
【図面の簡単な説明】
【０１１７】
【図１】本発明の実施の一形態に係る電気掃除機の掃除機本体および当該掃除機本体に収容されるサイクロン集塵機の概略の構成を示す断面図である。
【図２】上記電気掃除機の概略の構成を示す斜視図である。
【図３】上記電気掃除機の平面図である。
【図４】上記掃除機本体からポップアップさせた状態にある上記サイクロン集塵機の概略の構成を示す断面図である。
【図５】上記サイクロン集塵機のサイクロン本体を構成する蓋体の内部の構成を示す斜視図である。
【図６】上記蓋体に収容されるフィルタの概略の構成を示す斜視図である。
【図７】上記フィルタを収容した上記蓋体の斜視図である。
【図８】上記フィルタの上記蓋体への収容状態における、上記サイクロン本体の概略の構成を示す断面図である。
【図９】上記フィルタの上記蓋体への非収容状態における、上記サイクロン本体の概略の構成を示す断面図である。
【図１０】上記掃除機本体が有する第１付勢手段の構成の一例を示す断面図である。
【図１１】上記掃除機本体が有する係止解除阻止部の概略の構成を示す断面図である。
【図１２】（ａ）は、上記掃除機本体の横置き状態での上記係止解除阻止部の状態を示す断面図である。（ｂ）は、上記掃除機本体の縦置き状態での上記係止解除阻止部の状態を示す断面図である。
【図１３】上記掃除機本体に設けられる第３付勢手段の概略の構成を示す断面図である。
【符号の説明】
【０１１８】
１    掃除機本体
４    電動送風機
５    サイクロン集塵機
１１    サイクロン本体
１３    蓋体
１４    固定板
１４ａ  回動部材
１５    排気筒
１５ａ  フィルタ（第１のフィルタ）
１７    清掃具
１８    摺動手段
２０ａ  屈曲部
３１    位置決め部
３２    操作部
３４    係止部
４１    支持部
４１ａ  第１支持部
４１ｂ  第２支持部
４２    第２付勢手段（付勢手段）
４３    被係止部
４４    連結棒
４５    筐体
５１    フィルタ（第２のフィルタ）
５３    第１凹部（凹部）
５５    止め具
６１    阻止部（係止解除阻止部）
７１    第３付勢手段（本体側付勢手段）
【図１】
2008080146.tif 000003
【図２】
2008080146.tif 000004
【図３】
2008080146.tif 000005
【図４】
2008080146.tif 000006
【図５】
2008080146.tif 000007
【図６】
2008080146.tif 000008
【図７】
2008080146.tif 000009
【図８】
2008080146.tif 000010
【図９】
2008080146.tif 000011
【図１０】
2008080146.tif 000012
【図１１】
2008080146.tif 000013
【図１２】
2008080146.tif 000014
【図１３】
2008080146.tif 000015